(57)【要約】      （修正有）【課題】顧客が広告を見た件数に応じて広告料金の算出をできるようにした広告料金管理システムを提供する。【解決手段】広告媒体３に表示された広告及び２次元コード１５、携帯端末４、情報管理サーバ５及び広告料金管理サーバ６からなり、前記２次元コード１５には、広告主を特定可能な広告主情報と、ＵＲＬ情報とが含まれ、前記携帯端末４は、広告媒体３に表示された２次元コード１５を読み取る手段と、前記ＵＲＬ情報に基づき、広告主情報と顧客のメールアドレス情報とを情報管理サーバ５に送信する手段とを有し、前記情報管理サーバ５は、携帯端末４から受信した前記広告主情報の受信件数を集計する手段と、前記集計件数情報を前記広告料金管理サーバ６に送信する手段とを有し、前記広告料金管理サーバは、前記情報管理サーバ５から受信した集計件数情報に基づき、広告主に対して支払い請求を行うための広告料金を算出する手段とを有する。【選択図】図３
2008059491.tif 000002
【特許請求の範囲】
【請求項１】
広告媒体に表示された広告及び２次元コードと、前記２次元コードを読み取る機能を有する携帯端末と、顧客の個人情報を管理する個人情報管理サーバと、前記個人情報管理サーバと通信可能に接続された広告料金管理サーバとからなる広告料金管理システムであって、
前記２次元コードには、前記広告の広告主を特定可能な広告主情報と、ＵＲＬ情報とが含まれており、
前記携帯端末は、広告媒体に表示された２次元コードを読み取る手段と、前記ＵＲＬ情報に基づいて、前記広告主情報と顧客のメールアドレス情報とを前記個人情報管理サーバに送信する手段とを有し、
前記個人情報管理サーバは、前記携帯端末から受信した前記広告主情報の受信件数を集計する手段と、前記集計件数情報を前記広告料金管理サーバに送信する手段とを有し、
前記広告料金管理サーバは、前記個人情報管理サーバから受信した集計件数情報に基づいて、広告主に対して支払い請求を行うための広告料金を算出する手段とを有することを特徴とする広告料金管理システム。
【請求項２】
前記２次元コードが、ＱＲコードであることを特徴とする請求項１記載の広告料金管理システム。
【請求項３】
前記広告媒体が、個人宛てに送付する請求書、ダイレクトメール、のいずれかであることを特徴とする請求項１記載の広告料金管理システム。
【請求項４】
前記広告媒体が、パソコンのディスプレイであることを特徴とする請求項１記載の広告料金管理システム。
【発明の詳細な説明】
【技術分野】
【０００１】
本発明は、媒体に表示された広告の広告料金を、顧客がその広告を見た件数に応じて算出して、広告主に対して請求できるようにした広告料金管理システムに関する。
【背景技術】
【０００２】
従来、広告を行う場合には、新聞、雑誌、ポスター、チラシなどの紙媒体を用いたり、テレビやインターネットなどの電子媒体を利用するなどして広告を行っている。
これらの広告は、広告主からの広告依頼に基づいて各種の媒体を利用して行うものであるが、それらの広告料金は、どれだけの消費者がその広告を見たのかという実態と関係なく、広告前に契約した設定料金に基づいて支払われる場合が一般的である。
【０００３】
したがって、広告主は、期待した広告効果がなかった場合でも予め契約した広告料金を支払わなければならないという問題がある。
また、従来技術として、メールに広告情報を含ませて送信して、広告料金の管理を行うシステムが公知となっているが、紙媒体を用いた広告では対応できないという問題がある。（例えば、特許文献１参照）
【０００４】
【特許文献１】特開２００２−１０９３７０号公報
【発明の開示】
【発明が解決しようとする課題】
【０００５】
本発明は、上記の問題点を解決するために、媒体に表示された広告の広告料金を、顧客がその広告を見た件数に応じて算出して、広告主に対して請求できるようにして、広告主が納得できる広告料金を支払えるようにした広告料金管理システムを提供することを目的とする。
【課題を解決するための手段】
【０００６】
本発明の広告料金管理システムは、広告媒体に表示された広告及び２次元コードと、前記２次元コードを読み取る機能を有する携帯端末と、顧客の個人情報を管理する個人情報管理サーバと、前記個人情報管理サーバと通信可能に接続された広告料金管理サーバとからなる広告料金管理システムであって、前記２次元コードには、前記広告の広告主を特定可能な広告主情報と、ＵＲＬ情報とが含まれており、前記携帯端末は、広告媒体に表示された２次元コードを読み取る手段と、前記ＵＲＬ情報に基づいて、前記広告主情報と顧客のメールアドレス情報とを前記個人情報管理サーバに送信する手段とを有し、前記個人情報管理サーバは、前記携帯端末から受信した前記広告主情報の受信件数を集計する手段と、前記集計件数情報を前記広告料金管理サーバに送信する手段とを有し、前記広告料金管理サーバは、前記個人情報管理サーバから受信した集計件数情報に基づいて、広告主に対して支払い請求を行うための広告料金を算出する手段とを有することを特徴とする。
【０００７】
また、本発明の広告料金管理システムは、前記２次元コードが、ＱＲコードであることを特徴とする。
【０００８】
更に、本発明の広告料金管理システムは、前記広告媒体が、個人宛てに送付する請求書、ダイレクトメール、のいずれかであることを特徴とする。
【０００９】
また、本発明の広告料金管理システムは、前記広告媒体が、パソコンのディスプレイであることを特徴とする。
【発明の効果】
【００１０】
したがって、本発明の広告料金管理システムは、個人情報管理サーバから受信した集計件数情報に基づいて、広告主に対して支払い請求を行うための広告料金を算出することができるので、広告主が納得できる広告料金を支払うことができるという効果がある。
【００１１】
また、本発明の広告料金管理システムは、広告媒体として、個人宛てに送付する請求書、ダイレクトメールを利用することで、広告媒体の受取人においてその広告を見る可能性が高くなるので、広告効果が期待できると共に、広告主が納得できる広告料金を支払うことができるという効果がある。
【００１２】
また、本発明の広告料金管理システムは、広告媒体としてパソコンのディスプレイを利用することで、電子ダイレクトメールなどに種々の広告情報を含めて送信し、その広告の広告料金を、顧客がその広告を見た件数に応じて算出して、広告主に対して請求でき、広告主が納得できる広告料金を支払えるという効果がある。
【発明を実施するための最良の形態】
【００１３】
以下、本発明の実施の形態を図面に基づいて詳細に説明する。
図１は、本発明の実施形態に係る広告料金管理システムの概要を説明する図、図２は、本発明の実施形態に係る広告料金管理システムの広告媒体を説明する図、図３は、本発明の実施形態に係る広告料金管理システムのシステムブロック図、図４は、本発明の実施形態に係る広告料金管理システムの処理手順を示すフローチャート図である。
【００１４】
図１に示すように、本発明の実施形態に係る広告料金管理システムは、広告１及び２次元コード２が表示された紙媒体３aやパソコンのディスプレイ３ｂなどの広告媒体と、前記２次元コードを読み取る機能を有する携帯端末４と、情報管理センターなどに設置され、顧客の個人情報を管理する個人情報管理サーバ５と、前記個人情報管理サーバ５と通信可能に接続された携帯電話会社などに設置されている広告料金管理サーバ６と、媒体に広告を印刷などして配送する印刷会社などの処理受託会社７に設置されている情報管理装置８及び帳票イメージ生成装置９などからなる。
そして、広告媒体に広告依頼を行う広告依頼会社などの広告主１０は、携帯電話会社に広告の依頼を行い、更に、携帯電話会社からの広告料金の請求を受けて、広告料金の支払いを行う。
そして、これらの携帯端末４と、情報管理センターなどに設置されている個人情報管理サーバ５と、携帯電話会社などに設置されている広告料金管理サーバ６と、処理受託会社７に設置されている情報管理装置８とは、通信ネットワーク９により通信可能に接続されている。
【００１５】
また、図2には、処理受託会社７から各々の顧客１１ａ，１１ｂに郵送される請求書や、または送信されてパソコンのディスプレイ３ｂに表示される請求書の表示内容が示されている。
これらの請求書１２ａ，１２ｂには、請求金額などの記載の他に、各々の顧客に応じた記載内容や特典情報１３ａ，１３ｂ、更に、内容を絵や絵文字などで表示した複数のイメージ画像１４ａ，１４ｂからなる広告情報と、その複数のイメージ画像に対応させて表示させた２次元コードとして、ＱＲ（Quick Response）コード１５ａ，１５ｂが設けられている。
【００１６】
例えば、図２に示されているように、顧客１１ａに届いた請求書１２ａには、絵で示されたイメージ画像１４ａからなる広告情報として、テニス、コーヒー喫茶店、レストラン、バー、ゴルフ場のイメージ画像からなる広告情報が横方向に表示され、更に各々のイメージ画像からなる広告情報の下方に、個々のイメージ画像からなる広告情報に関係付けられたＱＲコード１５ａが表示されている。
また、顧客１１ｂに届いた請求書１２ｂには、絵で示されたイメージ画像１４ｂからなる広告情報として、スキューバダイビング、コーヒー喫茶店、レストラン、バー、釣りのイメージ画像からなる広告情報が横に並んで表示され、更に各イメージ画像からなる広告情報の下方に、個々のイメージ画像からなる広告情報に関係付けられたＱＲコード１５ｂが表示されている。
このように、請求書に対して、請求金額などの必要事項記載の他にどのような広告情報を盛り込むのかについては、個々の顧客の好み、趣味、趣向などに応じて表示すると共に、更に、顧客１１ａ，１１ｂに対して発送される各々の請求書１２ａ，１２ｂには、その顧客に応じて異なる配色やデザインが施されており、各々の顧客１１ａ，１１ｂの趣向に合うように作成されている。
【００１７】
２次元コードのＱＲコード１５ａ，１５ｂには、表示された広告の広告主を特定可能な広告主情報と、ＵＲＬ情報とが含まれているので、顧客１１ａ，１１ｂが携帯端末４を使用して所望のＱＲコードを読み取ることで、ＱＲコードに含まれているＵＲＬ情報で特定されるサイトに広告主情報を送信できるように構成されている。
また、それと同時に顧客のメールアドレス情報も送信される。
【００１８】
次に、図３のシステムブロックに基づいて、本発明の実施形態にかかるシステム構成について説明する。
携帯端末４には、ＱＲコードを光学的に読み取ることができるコード読取手段１６、表示手段１７、記憶手段１８、通信手段１９、制御手段４６などを有している。
コード読取手段１６は、ＱＲコードを読み取る機能を有している。
また、記憶手段１８には、携帯端末４毎にメールアドレス情報が記憶されている。
そして、通信手段１９により、コード情報とメールアドレス情報とをネットワーク９を介して情報管理サーバ５に送信可能に構成されている。
尚、通信ネットワーク９は、携帯端末４を接続させる移動体通信ネットワークやインターネットなどのネットワークにより通信可能に構成されている。
【００１９】
管理センターに設置されている情報管理サーバ５には、通信手段２０、登録手段２１、抽出手段２２、記憶手段２３、制御手段２４、個人情報データベース２５、広告主情報データベース２６などが備えられている。
個人情報データベース２５には、メールアドレス情報に関係付けられて、携帯端末の所持者の住所、郵便番号、氏名、電話番号、などの個人情報が予め登録されている。
また、広告主情報データベース２６には、携帯端末４から受信したコード情報に基づいて、広告を見た顧客の数を集計した集計件数情報や、広告媒体に表示した広告の広告内容やその広告主に関する情報が登録される。
広告主情報データベース２６に登録された集計件数情報は、広告料金管理サーバ６へ送信され、広告料金管理サーバ６において広告主毎に請求する広告料金の算出が行われる。
【００２０】
また、抽出手段２２は、特定の顧客に対する請求書の発行を行う際に、個人情報データベース２５に登録されている個人情報及びコード情報とを抽出する機能を有している。
更に、抽出手段２２で抽出された個人情報及びコード情報は、通信ネットワーク９を介して処理受託会社７の情報処理装置４０へ送信される。
処理受託会社７の情報処理装置４０には、通信手段２７、顧客趣向情報生成手段２８、インターフェース（Ｉ／Ｆ）２９、制御手段３０、趣向情報データベース３１などが備えられている。
趣向情報データベース３１には、予め趣向の傾向を分析して登録させた趣向情報が登録されている。
例えば、趣向の傾向として、ゴルフが好きな顧客は、芝生を連想するグリーン系統の色を好み、また、スキューバダイビングが好きな顧客は、海を連想するブルー系統の色を好むであろうと予想するなどして、種々の関連性をデータとして趣向情報データベース３１に登録しておく。
【００２１】
趣向情報データベース３１に登録するデータには、色の趣向の他にも、動植物、キャラクター、飲食物、ファッション、乗り物、グッズ、音楽、映画、絵画、などの趣向情報がコード情報と関係付けられて登録されている。
これにより、顧客の携帯端末から送信され、情報管理サーバ５を介して処理受託会社７の情報処理装置４０で受信したコード情報に基づいて、趣向情報データベース３１に予めコード情報と関係付けられて登録されている趣向情報を抽出できるようにしてある。
【００２２】
顧客趣向情報生成手段２８は、情報管理サーバ５から処理受託会社７の情報処理装置４０が受信した情報に基づいて、趣向情報データベース３１に予めコード情報と関係付けられて登録されている趣向情報を抽出することで、顧客趣向情報を生成する機能を有している。
顧客趣向情報生成手段２８で生成された顧客趣向情報は、インターフェース（Ｉ／Ｆ）２９により帳票イメージ生成装置１３へと送信される。
【００２３】
また、帳票イメージ生成装置４１には、インターフェース（Ｉ／Ｆ）３２、記憶手段３３、抽出手段３４、帳票デザインイメージデータ生成手段３５、インターフェース（Ｉ／Ｆ）３６、広告パーツ情報データベース３７、帳票デザインパーツ情報データベース３８、制御手段３９などを有している。
広告パーツ情報データベース３７には、請求書８に表示する各種の広告情報が予め登録され、これらの広告パーツ情報を選択することで、個々の顧客に応じた広告を請求書８に掲載できるようにしてある。
【００２４】
また、帳票デザインパーツ情報データベース３８には、請求書８にプリントするために用意された帳票デザインパーツ情報が予め登録されている。
帳票デザインパーツ情報としては、配色情報、レイアウト情報、の他に動植物、キャラクター、飲食物、ファッション、乗り物、グッズ、音楽、映画、絵画、などの種々の画像情報などのパーツ情報がある。
そして、帳票デザインイメージデータ生成手段３５は、帳票デザインパーツ情報データベース３８に登録されている多数のパーツ情報の中から、情報処理装置１２から受信した顧客趣向情報に基づいて選択され、抽出されたパーツ情報を組み合わせて、請求書にプリントする帳票デザインのイメージデータの生成を行なう機能を有している。
【００２５】
帳票デザインイメージデータ生成手段３５で生成された帳票デザインイメージデータは、請求書の作成を行なう際に印刷、プリント用のデータとして使用される。
このようにして作成された請求書は、プリント出力後に、封入封緘、検査、そして発送される。
また、請求書を電子データとして顧客の端末に送信する場合には、電子データの請求書を作成する際に、帳票デザインイメージデータ生成手段３５で生成された帳票デザインイメージデータを、電子データの請求書を作成する際に用いることで、顧客の趣向に応じたデザインや色合いを有する電子請求書を作成することもできる。
【００２６】
また、情報管理サーバ５は、ネットワーク９を介して広告料金管理サーバ６を通信可能に接続されている。
広告料金管理サーバ６には、通信手段４２、記憶手段４３、広告料金算出手段４４、制御手段４５などが備えられている。
広告料金算出手段４４は、情報管理サーバ５から受信した集計件数情報に基づいて、広告主に対して支払い請求を行うための広告料金を算出する機能を有している。
例えば、広告料金算出手段４４には、情報管理サーバ５から受信した集計件数に対して、予め設定した１顧客毎の単価を掛け合わせることで、広告主に請求する全体の広告料金額が算出される。
これにより、広告主に対して実際に顧客から反応の合った件数に応じた広告料金の請求ができるようにしてある。
【００２７】
次に、本発明の実施形態に係る広告料金管理システムの処理手順を、図４に示すフローチャート図に基づいて説明する。
まず、請求書、ダイレクトメール、インターネットを利用した電子ダイレクトメールなどの広告媒体に、種々の伝達情報と共に広告情報とＱＲコードとを表示させ、顧客に広告媒体の送付や広告情報の送信を行う。（ステップＳ１）
そして、顧客が広告情報に興味がある場合には、それらの広告媒体に表示されているＱＲコードを携帯端末２で読み取り、読み取ったＱＲコードのコード情報を、携帯端末に記憶されているメールアドレス情報と共に情報管理サーバ５へ送信する。（ステップＳ２）
情報管理サーバ５は、顧客の携帯端末から受信したコード情報とメールアドレス情報とを関係付けて広告主情報データベース２６に登録することで、これらの情報の蓄積を行なう。（ステップＳ３）
【００２８】
次に、広告主情報データベース２６から、その広告主毎に登録されているコード情報の件数を算出する。（ステップＳ４）
そして、広告主毎に算出したコード情報の集計件数情報を、広告料金管理サーバ６へ送信する。（ステップＳ５）
広告料金管理サーバ６は、情報管理サーバ５から受信した集計件数情報に基づいて、広告主毎の広告料金の算出を行う。（ステップＳ６）
【００２９】
また、情報処理装置４０では、情報管理サーバ５から受信したコード情報から顧客の趣向を分析して顧客趣向情報を生成し、この顧客趣向情報を帳票イメージ生成装置４１に送信する。（ステップＳ７）
帳票イメージ生成装置４１では、情報処理装置４０から受信した顧客趣向情報に基づいて、広告パーツ情報データベース３７から広告パーツ情報を抽出する。（ステップＳ８）
更に、帳票イメージ生成装置４１により、情報処理装置４０から受信した顧客趣向情報に基づいて、帳票デザインパーツ情報データベース３８から帳票デザインパーツ情報を抽出して帳票デザインイメージデータを生成する。（ステップＳ９）
【００３０】
そして、生成された帳票デザインイメージデータを使用して、請求書などの伝達媒体にプリント出力し、封入封緘し、検査を行なった後に顧客へ発送を行なう。（ステップＳ１０）
また、これらの請求書などの伝達媒体に、複数の広告情報と複数のＱＲコードを表示することで、顧客からそのＱＲコードに基づいた広告閲覧情報を情報管理サーバ５で収集できるようにすることで、顧客の趣向情報の収集と、この収集した顧客の趣向情報を利用して個々の顧客の趣向に合った帳票デザインイメージデータの生成と、広告主に対する広告料金の算出を行えるようにしてある。
【図面の簡単な説明】
【００３１】
【図１】本発明の実施形態に係る広告料金管理システムの概要を説明する図である。
【図２】本発明の実施形態に係る広告料金管理システムの広告媒体を説明するク図である。
【図３】本発明の実施形態に係る広告料金管理システムのシステムブロック図である。
【図４】本発明の実施形態に係る広告料金管理システムの処理手順を示すフローチャート図である。
【符号の説明】
【００３２】
１  広告
２  ２次元コード
３ａ  紙媒体請求書
３ｂ  ディスプレイ
４  携帯端末
５  個人情報管理サーバ
６  広告料金管理サーバ
７  処理受託会社
８  情報管理装置
９  帳票イメージ生成装置
１０  広告主
１１ａ，１１ｂ  顧客
１２ａ，１２ｂ  請求書
１３ａ，１３ｂ  特典情報
１４ａ，１４ｂ  イメージ画像
１５ａ，１５ｂ  ＱＲコード
１６  コード読取手段
１７  表示手段
１８，２３，３３，４３  記憶手段
１９，２０，２７，４２  通信手段
２４，３０，３９，４５，４６  制御手段
２１  登録手段
２２  抽出手段
２５  個人情報データベース
２６  広告主情報データベース
２５  個人情報データベース
２６  コード情報データベース
２８  顧客趣向情報生成手段
２９，３２，３６  インターフェース（Ｉ／Ｆ）
３１  趣向情報データベース
３５  帳票デザインイメージデータ生成手段
３７  広告パーツ情報データベース
３８  帳票デザインパーツ情報データベース
４４  広告料金算出手段
【図１】
2008059491.tif 000003
【図２】
2008059491.tif 000004
【図３】
2008059491.tif 000005
【図４】
2008059491.tif 000006